(57)【要約】【課題】出金された硬貨の種類や枚数を容易に確認させ得るようにする。【解決手段】釣銭制御部２１は、対象桁ＤＧを順次移しながら、釣銭表示欄ＣＣに表示している釣銭額ＣＨのうち当該対象桁ＤＧの表示色を変更すると共に、当該対象桁ＤＧの金種のみの硬貨を出金する。これにより釣銭制御部２１は、釣銭表示欄ＣＣの表示を一時的に変更して強調しながら、硬貨出金口１６に一度に出金する硬貨の種類及び枚数をいずれも少なく抑えることができるので、レジ係員及び顧客に対し、出金された硬貨の種類や枚数を対象桁ＤＧ毎に容易に把握させると共に、釣銭表示欄ＣＣに表示された数字のうち当該対象桁ＤＧの部分と容易に照合させることができる。【選択図】図７
2013250740.tif 000002
【特許請求の範囲】
【請求項１】
出金すべき出金額を表示する表示部と、
上記出金額に基づき、出金すべき硬貨の金種ごとの枚数を決定する枚数決定部と、
上記出金額のうち一部の桁を対象桁として順次選定する桁選定部と、
上記対象桁ごとに、対応する金種の硬貨を上記決定された枚数ずつ出金する出金指示を作成する出金指示部と、
上記出金指示に従い、指示された金種の硬貨を指示された枚数だけ出金する出金部と、
上記出金部から上記硬貨を出金することに連動させて、上記表示部に表示している上記出金額のうち上記対象桁又はその近傍の表示手法を他の桁と相違させるよう、上記表示部の表示内容を制御する表示制御部と
を具えることを特徴とする硬貨出金装置。
【請求項２】
上記桁選定部は、
複数の動作モードのうち一の動作モードを選択することにより対象桁の選定手法を切り換え、
上記表示制御部は、
上記桁選定部において選択されている動作モードを所定のモード表示部に表示させるよう制御する
ことを特徴とする請求項１に記載の硬貨出金装置。
【請求項３】
上記表示制御部は、
上記出金額のうち上記対象桁の表示色を他の桁と相違させる
ことを特徴とする請求項１に記載の硬貨出金装置。
【請求項４】
上記桁選定部は、
上記出金額を１桁ずつに区切り上記対象桁として順次選定する
ことを特徴とする請求項１に記載の硬貨出金装置。
【請求項５】
上記出金額に対応する出金すべき硬貨の全枚数を算出する全枚数算出部
をさらに具え、
上記桁選定部は、
上記全枚数が所定の一括閾値未満であれば、上記出金額のうち全ての桁を上記対象桁として選定する
ことを特徴とする請求項１に記載の硬貨出金装置。
【請求項６】
上記桁選定部は、
上記出金額のうち１桁を仮対象桁として選定する仮選定部と、
上記仮対象桁に対応する硬貨の枚数を仮枚数として算出する仮枚数算出部と、
上記仮枚数が所定の仮枚数閾値未満であれば、上記仮対象桁の次に選定すべき桁を含めた２以上の桁を新たな仮対象桁として上記仮枚数算出部に上記仮枚数を再度算出させる一方、上記仮枚数が上記仮枚数閾値以上であれば、上記仮対象桁を上記対象桁として選定する比較選定部と
をさらに具えることを特徴とする請求項１に記載の硬貨出金装置。
【請求項７】
操作指示を受け付ける指示受付部
をさらに具え、
上記桁選定部は、
上記操作指示に応じて、上記出金額のうち一部の桁又は全ての桁を上記対象桁として選定する
ことを特徴とする請求項１に記載の硬貨出金装置。
【請求項８】
上記出金部から所定の出金口へ出金された硬貨が当該出金口から取り出されたことを検出する取出検出部
をさらに具え、
上記桁選定部は、
直前の対象桁に対応する硬貨が上記出金口から取り出されたことを上記取出検出部により検出すると、次の対象桁を選定する
ことを特徴とする請求項１に記載の硬貨出金装置。
【請求項９】
操作指示を受け付ける指示受付部
をさらに具え、
上記桁選定部は、
上記指示受付部により次の桁に対応する硬貨を出金すべき操作指示を受け付けると、次の対象桁を選定する
ことを特徴とする請求項１に記載の硬貨出金装置。
【請求項１０】
時間を計る計時部
をさらに具え、
上記桁選定部は、
直前の対象桁に対応する硬貨が上記出金部から所定の出金口へ硬貨が出金されてから所定時間が経過したことを上記計時部により検出すると、次の対象桁を選定する
ことを特徴とする請求項１に記載の硬貨出金装置。
【請求項１１】
出金すべき出金額を所定の表示部に表示する表示ステップと、
所定の枚数決定部により、上記出金額に基づき、出金すべき硬貨の金種ごとの枚数を決定する枚数決定ステップと、
所定の桁選定部により、上記出金額のうち一部の桁を対象桁として順次選定する桁選定ステップと、
所定の出金指示部により、上記対象桁ごとに、対応する金種の硬貨を上記決定された枚数ずつ出金する出金指示を作成することにより、所定の出金部から、指示された金種の硬貨を指示された枚数だけ出金させる出金指示ステップと、
所定の表示制御部により、上記出金部から上記硬貨を出金することに連動させて、上記表示部に表示している上記出金額のうち上記対象桁又はその近傍の表示手法を他の桁と相違させるよう、上記表示部の表示内容を制御する表示制御ステップと
を具えることを特徴とする硬貨出金方法。
【請求項１２】
硬貨出金装置に対し、
出金すべき出金額を所定の表示部に表示する表示ステップと、
上記出金額に基づき、出金すべき硬貨の金種ごとの枚数を決定する枚数決定ステップと、
上記出金額のうち一部の桁を対象桁として順次選定する桁選定ステップと、
上記対象桁ごとに、対応する金種の硬貨を上記決定された枚数ずつ出金する出金指示を作成することにより、所定の出金部から、指示された金種の硬貨を指示された枚数だけ出金させる出金指示ステップと、
上記出金部から上記硬貨を出金することに連動させて、上記表示部に表示している上記出金額のうち上記対象桁又はその近傍の表示手法を他の桁と相違させるよう、上記表示部の表示内容を制御する表示制御ステップと
を実行させるための硬貨出金プログラム。
【発明の詳細な説明】
【技術分野】
【０００１】
本発明は硬貨出金装置、硬貨出金方法及び硬貨出金プログラムに関し、例えばスーパーマーケットやコンビニエンスストア等のような小売店舗の精算所において使用されるレジ釣銭機に適用して好適なものである。
【背景技術】
【０００２】
近年、レジ釣銭機においては、ＰＯＳ（Point Of Sales）システム等に接続されたレジスタ部に、媒体としての紙幣や硬貨の入出金処理を行う釣銭処理部が組み合わされたものが普及しつつある。
【０００３】
このレジ釣銭機のなかには、精算処理において、釣銭額を算出すると共に、釣銭処理部により釣銭額に応じた金種及び枚数の紙幣及び硬貨を排出するようになされたものも提案されている（例えば、特許文献１参照）。
【０００４】
例えばレジ釣銭機は、小売店舗において顧客が商品を購入する際、顧客から商品の代金として支払われた現金をレジ係員が預かる。そしてレジ係員がこの現金をレジ釣銭機に投入することにより、レジ釣銭機は、投入された金額を認識すると共に釣銭額を算出する。
【０００５】
続いてレジ釣銭機は、釣銭処理部により、釣銭額に応じた金種及び枚数の紙幣及び硬貨を決定する。そしてレジ釣銭機は、決定した金種及び枚数の紙幣及び硬貨を出金することにより、この紙幣及び硬貨をレジ係員に取り出させ、顧客に受け渡させる。
【先行技術文献】
【特許文献】
【０００６】
【特許文献１】特開２０１０−１５２４３６公報（第１図）
【発明の概要】
【発明が解決しようとする課題】
【０００７】
かかる構成のレジ釣銭機においては、特に硬貨を出金する際、釣銭額の全額を一括して出金し、これをレジ係員に取り出させ、顧客に手渡すことになる。このとき顧客は、手渡された硬貨が釣銭額と一致しているか否かを確認したいことがある。
【０００８】
しかしながら、硬貨の金種や枚数が多い場合、硬貨を手渡された顧客にとって、複数種類が混在している多数の硬貨の金額、すなわち金種や枚数を直ちに確認することは容易ではなく、確認に手間取ってしまう場合がある、という問題があった。
【０００９】
本発明は以上の点を考慮してなされたもので、出金された硬貨の種類や枚数を容易に確認させ得る硬貨出金装置、硬貨出金方法及び硬貨出金プログラムを提案しようとするものである。
【課題を解決するための手段】
【００１０】
かかる課題を解決するため本発明の硬貨出金装置、硬貨出金方法及び硬貨出金プログラムにおいては、出金すべき出金額を所定の表示部に表示し、出金額に基づき、出金すべき硬貨の金種ごとの枚数を決定し、出金額のうち一部の桁を対象桁として順次選定し、対象桁ごとに、対応する金種の硬貨を決定された枚数ずつ出金する出金指示を作成することにより、所定の出金部から、指示された金種の硬貨を指示された枚数だけ出金させ、出金部から硬貨を出金することに連動させて、表示部に表示している出金額のうち対象桁又はその近傍の表示手法を他の桁と相違させるよう、表示部の表示内容を制御するようにした。
【００１１】
本発明は、対象桁毎に硬貨を出金するため、その金種及び枚数を対象桁毎に容易に確認することができ、且つそのときの対象桁の出金額を表示部により容易に視認させることができる。したがって本発明は、実際に出金された硬貨の金額が出金額と一致することを直ちに確認させることができる。
【発明の効果】
【００１２】
本発明によれば、対象桁毎に硬貨を出金するため、その金種及び枚数を対象桁毎に容易に確認することができ、且つそのときの対象桁の出金額を表示部により容易に視認させることができるので、実際に出金された硬貨の金額が出金額と一致することを直ちに確認させることができる。かくして本発明は、出金された硬貨の種類や枚数を容易に確認させ得る硬貨出金装置、硬貨出金方法及び硬貨出金プログラムを実現できる。
【図面の簡単な説明】
【００１３】
【図１】レジ釣銭機の外観構成を示す略線的斜視図である。
【図２】レジ釣銭機のブロック構成を示す略線的ブロック図である。
【図３】釣銭額の表示を示す略線図である。
【図４】第１の実施の形態による釣銭制御部の機能構成を示す略線的ブロック図である。
【図５】釣銭出金処理手順を示す略線的フローチャートである。
【図６】第１の実施の形態による硬貨出金処理手順を示す略線的フローチャートである。
【図７】第１の実施の形態による釣銭出金シーケンスを示す略線図である。
【図８】第２の実施の形態による釣銭制御部の機能構成を示す略線的ブロック図である。
【図９】第２の実施の形態による釣銭表示欄の構成を示す略線図である。
【図１０】第２の実施の形態による硬貨出金処理手順を示す略線的フローチャートである。
【図１１】第２の実施の形態による釣銭出金シーケンス（１）を示す略線図である。
【図１２】第２の実施の形態による釣銭出金シーケンス（２）を示す略線図である。
【図１３】第３の実施の形態による釣銭制御部の機能構成を示す略線的ブロック図である。
【図１４】第３の実施の形態による硬貨出金処理手順を示す略線的フローチャートである。
【図１５】第３の実施の形態による釣銭出金シーケンスを示す略線図である。
【図１６】第４の実施の形態による釣銭制御部の機能構成を示す略線的ブロック図である。
【図１７】第４の実施の形態による釣銭表示欄の構成を示す略線図である。
【図１８】第４の実施の形態による硬貨出金処理手順を示す略線的フローチャートである。
【発明を実施するための形態】
【００１４】
以下、発明を実施するための形態（以下実施の形態とする）について、図面を用いて説明する。
【００１５】
［１．第１の実施の形態］
［１−１．レジ釣銭機の構成］
図１に外観を示すように、レジ釣銭機１は、大きく分けて上側のレジスタ部２と、下側の釣銭処理部３とにより構成されている。このレジ釣銭機１は、例えばスーパーマーケットやコンビニエンスストアのような小売店舗の精算所（いわゆるレジ）において、顧客が購入したい商品を精算する際に、レジ係員により操作されるようになされている。
【００１６】
なお以下では、レジ係員が対峙する側面及びその反対面をそれぞれ前面及び後面とし、さらに当該レジ係員から見て左右及び上下を定義して説明する。
【００１７】
レジスタ部２は、内蔵された統括制御部５によりレジ釣銭機１全体を統括制御するようになされている。またレジスタ部２には、図示しないバーコードリーダが接続されており、商品に付されたバーコードをこのバーコードリーダで読み取ることにより、当該商品を認識するようになされている。
【００１８】
表示操作部６は、液晶ディスプレイ等でなる表示部６Ａと、当該液晶ディスプレイに重ねて配置されたタッチパネル等でなる操作部６Ｂとにより構成されている。
【００１９】
表示操作部６は、認識した商品の名称や金額等を液晶ディスプレイに表示する。また表示操作部６は、表示画面の一部に数字等の入力キーを表示しており、タッチパネル上の入力キーに対応する箇所が押下操作されると、当該入力キーに対応した入力操作を受け付けて統括制御部５へ送信する。これに応じて統括制御部５は、商品の数量の増減や金額の修正等の各処理を行うようになされている。
【００２０】
またレジスタ部２には、レシート処理部７が内蔵されている。レシート処理部７は、認識した商品の名称や金額等をレシートに印字し、これをレシート排出口７Ａから排出するようになされている。
【００２１】
一方、釣銭処理部３は、大きく分けて、左側の硬貨処理部１１と、右側の紙幣処理部１２と、前側上部の操作部１３とにより構成されている。
【００２２】
硬貨処理部１１の前面には、上段に硬貨入金口１４が設けられ、その下方にリジェクト口１５及び硬貨出金口１６が設けられている。
【００２３】
硬貨入金口１４は、すり鉢状にえぐられたような形状に形成されると共に、その底部に硬貨を１枚ずつ取り込む取込機構が組み込まれている。また硬貨入金口１４には、所定箇所に硬貨の有無を検出するセンサ（図示せず）が組み込まれている。
【００２４】
リジェクト口１５及び硬貨出金口１６は、いずれも硬貨処理部１１の前面下部から前方へ突出しており、それぞれ上部中央が椀状にえぐられたような形状となっている。また硬貨出金口１６にも、所定箇所に硬貨の有無を検出するセンサ１６Ｓが組み込まれている。さらに硬貨出金口１６の後方には、後述する釣銭制御部２１により指示された金種の硬貨を指示された枚数ずつ出金する出金部１７が内蔵されている。
【００２５】
紙幣処理部１２の前面には、紙幣を外部から取り込み、また外部へ排出する紙幣入出金口１８が設けられている。紙幣入出金口１８の後方には、後述する釣銭制御部２１により指示された金種の紙幣を指示された枚数ずつ出金する出金部１９が内蔵されている。
【００２６】
操作部１３は、ＬＥＤ（Light Emitting Diode）等が組み込まれた表示パネル及び複数の操作ボタンの組み合わせにより構成されている。
【００２７】
操作部１３の表示パネルは、硬貨処理部１１及び紙幣処理部１２における稼働状況を表示するようになされており、例えば硬貨処理部１１において釣銭用の硬貨が不足していることや、内部で異常を検出したこと、或いはその箇所等を表示する。
【００２８】
操作部１３の操作ボタンは、レジ係員等による押下操作を介して、例えば硬貨の搬送等に関する指示を受け付けるようになされている。
【００２９】
さらに釣銭処理部３の内部には、釣銭制御部２１が設けられている。釣銭制御部２１は、図２にブロック構成を示すように、ＣＰＵ（Central Processing Unit）２２を中心に構成されており、フラッシュメモリ等でなるメモリ２３から釣銭出金プログラム等の各種プログラムを読み出して実行することにより、釣銭処理部３を統括制御するようになされている。
【００３０】
また釣銭制御部２１のＣＰＵ２２は、Ｉ／Ｏ（Input / Output）ポート２４及び２５を介して硬貨処理部１１及び紙幣処理部１２に組み込まれている複数のモータ、ソレノイド及びセンサとそれぞれ接続され、Ｉ／Ｏポート２６を介して操作部１３の操作スイッチ及び表示パネルとそれぞれ接続されている。
【００３１】
さらに釣銭制御部２１のＣＰＵ２２は、レジスタ部２に組み込まれている統括制御部５のＣＰＵ３１とも接続されており、互いに連携して各種処理を実行するようになされている。因みに統括制御部５のＣＰＵ３１は、メモリ３２から各種プログラムを読み出して実行することにより、レジスタ部２及びレジ釣銭機１全体を制御するようになされている。
【００３２】
実際の精算処理において、統括制御部５は、所定の精算処理プログラムを実行し、また釣銭制御部２１に所定の入金プログラムを実行させる。
【００３３】
例えば、レジ係員が顧客から商品の代金として紙幣及び硬貨を預かると、紙幣はレジ係員により紙幣入出金口１７（図１）へ投入され、硬貨はレジ係員によりまとめて硬貨入金口１４（図１）へ投入される。
【００３４】
硬貨入金口１４は、センサにより硬貨が投入されたことを検出すると、釣銭制御部２１の制御に基づき、硬貨を１枚ずつ取り込み、図示しない硬貨鑑別部へ受け渡す。
【００３５】
釣銭制御部２１は、硬貨鑑別部により硬貨の金種（例えば１円、５円、１０円、５０円、１００円及び５００円の６種類）及び真偽等を鑑別させ、異常であれば当該硬貨をリジェクト口１５から排出させ、正常であれば当該硬貨を金種毎の収納庫（図示せず）に収納させる。
【００３６】
また釣銭制御部２１は、紙幣処理部１２により紙幣の金種及び真偽等を１枚ずつ鑑別した上で、内部の収納庫（図示せず）へ収納する。
【００３７】
ここで釣銭制御部２１は、入金された金額を算出し、統括制御部５へ通知する。これに応じて統括制御部５は、入金額から商品の代金を差し引くことにより釣銭額ＣＨを算出して釣銭制御部２１へ通知すると共に、当該釣銭制御部２１に釣銭出金プログラムを実行させる。
【００３８】
釣銭制御部２１は、図３（Ａ）に示すように、表示操作部６の右下部分に釣銭表示欄ＣＣを設けた上で、当該釣銭表示欄ＣＣ内に比較的大きな数字により釣銭額ＣＨを表示する。この釣銭表示欄ＣＣは、レジ係員から目視しやすく、また顧客からも容易に目視できるよう、数字の大きさや配色等が適切に定められている。
【００３９】
また釣銭制御部２１は、釣銭額ＣＨに応じた紙幣を紙幣入出金口１８から出金させると共に、釣銭額に応じた硬貨を出金部１７により内部の収納庫から繰り出させ、硬貨出金口１６から出金させる（詳しくは後述する）。
【００４０】
これに応じてレジ係員は、レシート処理部７（図１）により精算内容を印字したレシートと共に、紙幣及び硬貨を釣銭として顧客に手渡すことにより、一連の精算処理を完了するようになされている。
【００４１】
［１−２．釣銭出金処理］
ところで釣銭処理部３では、釣銭のうち特に硬貨を出金する際、全額を一括して出金するのではなく、桁毎に分けて出金するようになされている。ここでは、釣銭処理部３により釣銭額ＣＨに応じた紙幣及び硬貨を釣銭として出金する釣銭出金処理について、詳細に説明する。
【００４２】
この釣銭出金処理を行う際、釣銭制御部２１は、メモリ２３から釣銭出金プログラムを読み出してＣＰＵ２２において実行する。これにより釣銭制御部２１は、図４に示すように、枚数決定部４１、桁選定部４２、出金指示部４３及び表示制御部４４といった各機能ブロックを構成するようになされている。
【００４３】
枚数決定部４１は、統括制御部５から釣銭額ＣＨの通知を受けると、その金額に応じて出金すべき紙幣及び硬貨の枚数を金種毎に決定し、これを桁選定部４２及び出金指示部４３へ供給する。
【００４４】
桁選定部４２は、釣銭額ＣＨのうち未出金の額（以下これを残額と呼ぶ）を桁毎に分解した上で、残額のうち最大の桁を出金対象とすべき一桁（以下これを対象桁ＤＧと呼ぶ）を選定し、出金指示部４３へ通知する。
【００４５】
出金指示部４３は、対象桁ＤＧに対応する金種の紙幣又は硬貨について、枚数決定部４１において決定された枚数だけ出金させる出金指示を生成し、これを出金部１７又は１９へ供給する。これに応じて出金部１７及び１９は、出金指示により指示された金種の紙幣又は硬貨を指示された枚数だけ出金する。
【００４６】
表示制御部４４は、表示操作部６（図１）の表示部６Ａに表示命令を供給することにより、表示画面内の釣銭表示欄ＣＣ（図３（Ａ））に釣銭額ＣＨを表示させ、また対象桁ＤＧに応じてその表示を変更させるようになされている。
【００４７】
そして釣銭制御部２１は、図５に示す釣銭出金処理手順ＲＴ１に従って各機能ブロックによる各処理を順次実行することにより、釣銭を出金するようになされている。
【００４８】
すなわち釣銭制御部２１は、釣銭出金プログラムを実行すると釣銭出金処理手順ＲＴ１を開始し、ステップＳＰ１へ移る。ステップＳＰ１において釣銭制御部２１は、統括制御部５から釣銭額ＣＨを取得して枚数決定部４１及び表示制御部４４（図４）へ供給し、次のステップＳＰ２へ移る。
【００４９】
ステップＳＰ２において釣銭制御部２１は、表示制御部４４（図４）から表示操作部６（図１）の表示部６Ａ（図４）へ所定の表示命令を供給することにより、表示画面内の釣銭表示欄ＣＣ（図３（Ａ））に釣銭額ＣＨを表示させ、次のステップＳＰ３へ移る。因みに釣銭額ＣＨは、例えば白地に黒色の数字により表示される。
【００５０】
ステップＳＰ３において釣銭制御部２１は、残額の初期値として釣銭額ＣＨと同一の値を設定し、次のステップＳＰ３へ移る。
【００５１】
ステップＳＰ４において釣銭制御部２１は、枚数決定部４１（図４）により、釣銭として出金すべき紙幣及び硬貨の金種毎の枚数を決定し、これを桁選定部４２及び出金指示部４３へ供給して、次のステップＳＰ４へ移る。
【００５２】
ステップＳＰ５において釣銭制御部２１は、釣銭として紙幣を出金すべきであるか否か、換言すれば釣銭額ＣＨが１０００円以上であるか否かを判定する。ここで肯定結果が得られると、釣銭制御部２１は次のステップＳＰ５へ移る。
【００５３】
ステップＳＰ６において釣銭制御部２１は、出金指示部４３から紙幣の出金指示を出金部１９へ供給することにより、釣銭額ＣＨのうち１０００円の桁の部分を出金し、次のステップＳＰ７へ移る。
【００５４】
ステップＳＰ７において釣銭制御部２１は、残額から出金済の金額を差し引くことにより当該残額を更新し、次のステップＳＰ８へ移る。
【００５５】
一方、ステップＳＰ５において否定結果が得られた場合、このことは釣銭として紙幣を出金する必要がないことを表しており、このとき紙幣制御部２１は次のステップＳＰ８へ移る。
【００５６】
ステップＳＰ８において釣銭制御部２１は、残額が０よりも大きいか否か、換言すれば釣銭として硬貨を出金する必要があるか否かを判定する。ここで肯定結果が得られると、釣銭制御部２１は次のステップＳＰ９へ移って硬貨出金処理を行う。
【００５７】
ステップＳＰ９において釣銭制御部２１は、図６に示す硬貨出金サブルーチンＳＲＴ１を開始して、ステップＳＰ１１へ処理を移す。
【００５８】
ステップＳＰ１１において釣銭制御部２１は、桁選定部４２（図４）により、残額のうち最大の桁を対象桁ＤＧとして選定し、これを出金指示部４３及び表示制御部４４へ通知して、次のステップＳＰ１２へ移る。
【００５９】
ステップＳＰ１２において釣銭制御部２１は、表示制御部４４により、例えば図３（Ｂ）に示すように、表示画面内の釣銭表示欄ＣＣに表示している釣銭額ＣＨのうち対象桁ＤＧの色を他の桁と異なる色（例えば赤色）に変更し、次のステップＳＰ１３へ移る。
【００６０】
ステップＳＰ１３において釣銭制御部２１は、出金指示部４３により、対象桁ＤＧの硬貨のみを出金させる出金指示を生成し、これを出金部１７へ供給してから次のステップＳＰ１４へ移る。
【００６１】
これに応じて出金部１７は、出金指示に従い、対象桁ＤＧの硬貨のみを硬貨出金口１６（図１）へ出金する。このときレジ係員は、表示部６Ａの釣銭表示欄ＣＣを参照しながら、硬貨出金口１６に出金された硬貨を取り出し、これを顧客へ返金する。
【００６２】
ステップＳＰ１４において釣銭制御部２１は、残額から出金済の金額を差し引くことにより当該残額を更新し、次のステップＳＰ１５へ移る。
【００６３】
ステップＳＰ１５において釣銭制御部２１は、桁選定部４２により、残額が０よりも大きいか否か、すなわち釣銭のうち未だ出金していない硬貨があるか否かを判定する。ここで肯定結果が得られると、釣銭制御部２１は次のステップＳＰ１６へ移る。
【００６４】
ステップＳＰ１６において釣銭制御部２１は、桁選定部４２により硬貨出金口１６のセンサ１６Ｓから検出信号を取得したか否かを基に、当該硬貨出金口１６から硬貨が取り出されたか否かを判定する。ここで否定結果が得られると、釣銭制御部２１は、このステップＳＰ１５を繰り返すことにより硬貨出金口１６から硬貨が取り出されるのを待ち受ける。
【００６５】
一方、ステップＳＰ１６において肯定結果が得られると、釣銭制御部２１は次の対象桁ＤＧを選定した上で出金処理を行うべく、再度ステップＳＰ１１へ戻って一連の処理を繰り返す。
【００６６】
また、ステップＳＰ１５において否定結果が得られると、このことは釣銭額ＣＨの全てを出金し終えたことを表しており、このとき釣銭制御部２１は次のステップＳＰ１７へ移る。
【００６７】
ステップＳＰ１７において釣銭制御部２１は、硬貨出金サブルーチンＳＲＴ１を終了して元の釣銭出金処理手順ＲＴ１（図５）へ処理を戻し、次のステップＳＰ１０へ移って釣銭出金処理手順ＲＴ１を終了する。
【００６８】
また釣銭制御部２１は、ステップＳＰ８において否定結果が得られた場合、すなわち釣銭として硬貨を出金する必要がない場合にも、ステップＳＰ１０へ移って釣銭出金処理手順ＲＴ１を終了する。
【００６９】
このように釣銭制御部２１は、対象桁ＤＧを順次切り替えながら、釣銭の硬貨を一桁分ずつ出金すると共に、釣銭表示欄ＣＣのうち対象桁ＤＧの表示色を他の桁と異なる色に変更するようになされている。
【００７０】
［１−３．釣銭出金シーケンス］
次に、釣銭処理部３からの出金処理と、釣銭表示欄ＣＣの表示と、レジ係員による顧客への返金との関係について、図７のシーケンスチャートを用いて時系列に沿って説明する。ここでは、一例として釣銭額ＣＨが「３７７７円」であると仮定する。
【００７１】
釣銭処理部３は、まず釣銭額ＣＨに基づいた金種毎の枚数として、「１０００円札が３枚、５００円玉が１枚、１００円玉が２枚、５０円玉が１枚、１０円玉が２枚、５円玉が１枚、及び１円玉が２枚」と決定する。また釣銭処理部３は、釣銭表示欄ＣＣに釣銭額ＣＨを通常の数字（黒色）により表示すると共に、残額の初期値を釣銭額ＣＨと同一の「３７７７円」に設定する。
【００７２】
そして釣銭処理部３は、シーケンスＱ１において、釣銭額ＣＨが１０００円以上であるため、釣銭額ＣＨのうち１０００円の桁に応じて出金部１９から１０００円札３枚を出金させ、残額を「７７７円」に更新する。このとき釣銭表示欄ＣＣは、釣銭額ＣＨの全桁を通常の数字により表示したままとなる。
【００７３】
これに応じてレジ係員は、例えば「まず大きい方から３０００円をお返しします」等と説明しながら、紙幣入出金口１８から取り出した３０００円を顧客に返金する。
【００７４】
次に釣銭処理部３は、シーケンスＱ２において、残額である「７７７円」のうち最大の桁である１００円の桁を対象桁ＤＧとし、釣銭表示欄ＣＣに表示している釣銭額ＣＨのうち対象桁ＤＧである１００円の桁の表示色を黒色から赤色に変更する。これと共に釣銭処理部３は、対象桁ＤＧに対応する金種である「５００円玉１枚及び１００円玉２枚」を出金部１７から出金させ、残額を「７７円」に更新する。
【００７５】
これに応じてレジ係員は、釣銭表示欄ＣＣにおいて表示色が変化している１００円の桁を参照し、例えば「次に７００円をお返しします」等と説明しながら、硬貨出金口１６から取り出した７００円を顧客に返金する。
【００７６】
ここで釣銭処理部３は、センサ１６Ｓにより硬貨出金口１６から硬貨が取り出されたことを検出すると、次のシーケンスＱ３へ移る。
【００７７】
シーケンスＱ３において、釣銭処理部３は、残額である「７７円」のうち最大の桁である１０円の桁を対象桁ＤＧとし、釣銭表示欄ＣＣに表示している釣銭額ＣＨのうち直前の対象桁ＤＧである１００円の桁の表示色を黒色に戻し、現在の対象桁ＤＧである１０円の桁の表示色を黒色から赤色に変更する。これと共に釣銭処理部３は、対象桁ＤＧに対応する金種である「５０円玉１枚及び１０円玉２枚」を出金部１７から出金させ、残額を「７円」に更新する。
【００７８】
これに応じてレジ係員は、釣銭表示欄ＣＣにおいて表示色が変化している１０円の桁を参照し、例えば「次に７０円をお返しします」等と説明しながら、硬貨出金口１６から取り出した７０円を顧客に返金する。
【００７９】
ここで釣銭処理部３は、センサ１６Ｓにより硬貨出金口１６から硬貨が取り出されたことを検出すると、次のシーケンスＱ４へ移る。
【００８０】
シーケンスＱ４において、釣銭処理部３は、残額である「７円」のうち最大の桁である１円の桁を対象桁ＤＧとし、釣銭表示欄ＣＣに表示している釣銭額ＣＨのうち直前の対象桁ＤＧである１０円の桁の表示色を黒色に戻し、現在の対象桁ＤＧである１円の桁の表示色を黒色から赤色に変更する。これと共に釣銭処理部３は、対象桁ＤＧに対応する金種である「５円玉１枚及び１円玉２枚」を出金部１７から出金させ、残額を「０円」に更新する。
【００８１】
これに応じてレジ係員は、釣銭表示欄ＣＣにおいて表示色が変化している１円の桁を参照し、例えば「残りの７円をお返しします」等と説明しながら、硬貨出金口１６から取り出した７円を顧客に返金する。
【００８２】
因みに釣銭処理部３は、残額が「０円」となっているため、このシーケンスＱ４により一連の出金処理を終了する。
【００８３】
［１−４．動作及び効果］
以上の構成において、第１の実施の形態による釣銭制御部２１は、統括制御部５から釣銭額ＣＨの通知を受けると、当該釣銭額ＣＨを釣銭表示欄ＣＣに表示すると共に、当該釣銭額ＣＨに応じて、出金すべき紙幣及び硬貨の枚数を金種毎に決定する。また釣銭制御部２１は、釣銭額ＣＨが１０００円以上であれば、まず紙幣を出金すると共に残額を更新する。
【００８４】
このときレジ係員は、例えば顧客の目前で１０００円札を１枚ずつ数えることにより、釣銭額ＣＨのうち１０００円の桁である３０００円分を手渡していることを顧客に明示することができる。
【００８５】
続いて釣銭制御部２１は、対象桁ＤＧを残額のうち最大の桁に設定し、釣銭表示欄ＣＣに表示している釣銭額ＣＨのうち当該対象桁ＤＧの表示色を変更すると共に、当該対象桁ＤＧの金種のみの硬貨を出金させる。
【００８６】
これを換言すれば、釣銭制御部２１は、釣銭額ＣＨのうち硬貨を出金する部分を桁毎に分割し、釣銭表示欄ＣＣの表示を一時的に変更して強調しながら出金する。
【００８７】
このため釣銭制御部２１は、硬貨出金口１６に一度に出金する硬貨の種類を２種類以内（５００円玉及び１００円玉等）とし、且つ枚数を５枚以内（９００円等）とすることができる。
【００８８】
これにより釣銭制御部２１は、レジ係員が硬貨出金口１６から硬貨をまとめて取り出した際、又はレジ係員がこの硬貨を顧客に手渡した際に、顧客に対し硬貨の種類や枚数を容易に把握させることができ、その負担を軽減することができる。
【００８９】
このとき釣銭制御部２１は、出金している桁（すなわち対象桁ＤＧ）を他の桁と異なる色に変更しているため、釣銭額ＣＨのうち出金中の桁の金額（７００円や７０円等）をレジ係員及び顧客に直ちに視認させることができ、実際に出金された硬貨の合計額と容易に照合させることができる。
【００９０】
また釣銭制御部２１は、釣銭表示欄ＣＣに釣銭額ＣＨを全額表示した上で、対象桁ＤＧの色を他の桁と相違させているため、その時点で全釣銭額のうちどの部分が出金されているのか、またどの部分が未出金となっているのか、といった進捗状況を一目で認識させることもできる。
【００９１】
因みにレジ係員は、硬貨が出金される度に顧客に手渡す以外にも、例えば硬貨が出金される度に一方の手で取り出して顧客に見せて確認させた後、他方の手に保持しておき、全ての硬貨が出金された後に、他方の手に保持していた全ての硬貨を一括して顧客に手渡すようにしても良い。
【００９２】
さらに釣銭制御部２１は、硬貨出金口１６に出金した硬貨がレジ係員により取り出されたことをセンサ１６Ｓにより検出してから対象桁ＤＧを次の桁に移す。このため釣銭制御部２１は、例えば釣銭出金処理の途中でレジ係員が顧客から質問を受けた場合のように、硬貨出金口１６から硬貨を取り出すまでの時間が長引いた場合にも、次の対象桁ＤＧの硬貨を混在させることなく、桁毎に順次返金させることができる。
【００９３】
以上の構成によれば、釣銭制御部２１は、対象桁ＤＧを順次移しながら、釣銭表示欄ＣＣに表示している釣銭額ＣＨのうち当該対象桁ＤＧの表示色を変更すると共に、当該対象桁ＤＧの金種のみの硬貨を出金する。これにより釣銭制御部２１は、釣銭表示欄ＣＣの表示を一時的に変更して強調しながら、硬貨出金口１６に一度に出金する硬貨の種類及び枚数をいずれも少なく抑えることができるので、レジ係員及び顧客に対し、出金された硬貨の種類や枚数を対象桁ＤＧ毎に容易に把握させると共に、釣銭表示欄ＣＣに表示された数字のうち当該対象桁ＤＧの部分と容易に照合させることができる。
【００９４】
［２．第２の実施の形態］
第２の実施の形態においては、第１の実施の形態による釣銭制御部２１に代えて、釣銭制御部１２１が用いられる。
【００９５】
［２−１．釣銭出金処理］
この釣銭制御部１２１は、釣銭のうち特に硬貨を出金する際、出金すべき硬貨の全枚数に応じて、桁毎に分けて出金するか、或いは全桁を一括して出金するかを切り換えるようになされている。
【００９６】
具体的に釣銭制御部１２１は、第１の実施の形態による釣銭制御部２１と同様の回路構成を有するものの（図２）、釣銭出金プログラムを実行した際に、第１の実施の形態と異なり、図４との対応部分に同一符号を付した図８に示すような機能ブロックを構成するようになされている。
【００９７】
すなわち釣銭制御部１２１は、第１の実施の形態と同様の枚数決定部４１及び出金指示部４３に加えて、第１の実施の形態による桁選定部４２及び表示制御部４４とそれぞれ対応する桁選定部１４２及び表示制御部１４４を有しており、さらに全枚数算出部１４５及び計時部１４６を有している。
【００９８】
表示制御部１４４は、表示制御部４４と同様に表示画面内の釣銭表示欄ＣＣ（図３（Ａ））に釣銭額ＣＨを表示（すなわち白地に黒数字で表示）させる他、図９に示すように、対象桁ＤＧの色を反転（すなわち黒地に白数字で表示）させるようになされている。
【００９９】
全枚数算出部１４５は、枚数決定部４１により決定された金種別の硬貨の枚数を全て加算することにより、出金すべき硬貨の全枚数を算出し、これを桁選定部１４２へ供給する。
【０１００】
桁選定部１４２は、総枚数算出部１４５から供給された全枚数を所定の閾値（例えば１０枚）と比較し、全枚数が閾値以上であれば釣銭額ＣＨのうちいずれか一桁を、また全枚数が閾値未満であれば釣銭額ＣＨのうち硬貨により出金すべき全桁（すなわち最大で３桁）を、それぞれ対象桁ＤＧとして選定するようになされている。
【０１０１】
計時部１４６は、時間を計測して桁選定部１４２に通知するようになされている。
【０１０２】
そして釣銭制御部１２１は、第１の実施の形態と同様に釣銭出金処理手順ＲＴ１（図５）に従って釣銭を出金するものの、ステップＳＰ９における硬貨出金処理については、図６と対応する図１０に示す硬貨出金サブルーチンＳＲＴ２を実行するようになされている。
【０１０３】
すなわち釣銭制御部１２１は、硬貨出金サブルーチンＳＲＴ２を開始してステップＳＰ２１へ移り、全枚数算出部１４５によって残額に相当する全金種の硬貨の枚数を全て加算することにより全枚数を算出し、次のステップＳＰ２２へ移る。
【０１０４】
ステップＳＰ２２において釣銭制御部１２１は、桁選定部１４２により、全枚数が閾値（例えば１０枚）未満であるか否かを判定する。ここで肯定結果が得られると、このことは出金すべき硬貨の全枚数が比較的少なく、仮に一括で出金したとしても硬貨の金種や枚数の把握がそれほど困難では無いことを表しており、このとき釣銭制御部１２１は次のステップＳＰ２３へ移る。
【０１０５】
ステップＳＰ２３において釣銭制御部１２１は、桁選定部１４２により、残額に相当する全桁（最大で３桁）を対象桁ＤＧとして選定し、次のステップＳＰ２４へ移る。
【０１０６】
ステップＳＰ２４において釣銭制御部１２１は、表示制御部１４４により、表示画面内の釣銭表示欄ＣＣに表示している釣銭額ＣＨのうち対象桁ＤＧの色を反転させ、次のステップＳＰ２５へ移る。
【０１０７】
ステップＳＰ２５において釣銭制御部１２１は、出金指示部４３により、対象桁ＤＧの硬貨、すなわち残額全ての硬貨を出金させる出金指示を生成し、これを出金部１７へ供給してから次のステップＳＰ２６へ移る。
【０１０８】
これに応じて出金部１７は、出金指示に従い、対象桁ＤＧの硬貨を硬貨出金口１６（図１）へ出金する。このときレジ係員は、表示部６Ａの釣銭表示欄ＣＣを参照しながら、硬貨出金口１６に出金された硬貨を取り出し、これを顧客へ返金する。
【０１０９】
ステップＳＰ２６において釣銭制御部１２１は、残額から出金済の金額を差し引くことにより当該残額を「０」に更新し、次のステップＳＰ３３へ移る。
【０１１０】
一方、ステップＳＰ２２において否定結果が得られると、このことは出金すべき硬貨の全枚数が比較的多く、仮に一括で出金した場合には硬貨の金種や枚数の把握が容易ではないことを表しており、このとき釣銭制御部１２１は次のステップＳＰ２７へ移る。
【０１１１】
ステップＳＰ２７において釣銭制御部１２１は、桁選定部１４２により、残額のうち最大の桁を対象桁ＤＧとして選定し、これを出金指示部４３及び表示制御部１４４へ通知して、次のステップＳＰ２８へ移る。
【０１１２】
ステップＳＰ２８において釣銭制御部１２１は、表示制御部１４４により、表示画面内の釣銭表示欄ＣＣに表示している釣銭額ＣＨのうち対象桁ＤＧの色を反転させ、次のステップＳＰ２９へ移る。
【０１１３】
ステップＳＰ２９において釣銭制御部１２１は、出金指示部４３により、対象桁ＤＧの硬貨のみを出金させる出金指示を生成し、これを出金部１７へ供給してから次のステップＳＰ３０へ移る。
【０１１４】
これに応じて出金部１７は、出金指示に従い、対象桁ＤＧの硬貨のみを硬貨出金口１６（図１）へ出金する。このときレジ係員は、表示部６Ａの釣銭表示欄ＣＣを参照しながら、硬貨出金口１６に出金された硬貨を取り出し、これを顧客へ返金する。
【０１１５】
ステップＳＰ３０において釣銭制御部１２１は、残額から出金済の金額を差し引くことにより当該残額を更新し、次のステップＳＰ３１へ移る。
【０１１６】
ステップＳＰ３１において釣銭制御部１２１は、桁選定部１４２により、残額が０よりも大きいか否か、すなわち釣銭のうち未だ出金していない硬貨があるか否かを判定する。ここで肯定結果が得られると、釣銭制御部１２１は次のステップＳＰ３２へ移る。
【０１１７】
ステップＳＰ３２において釣銭制御部１２１は、計時部１４６を利用することにより、硬貨を出金してから所定の待機時間（例えば５秒間）が経過したか否かを判定する。ここで否定結果が得られると、釣銭制御部１２１はこのステップＳＰ３２を繰り返すことにより、待機時間の経過を待つ。
【０１１８】
一方、ステップＳＰ３２において肯定結果が得られると、このことは直前に対象桁ＤＧの硬貨を出金してから十分な時間が経過しており、当該硬貨が硬貨出金口１６から既に取り出された可能性が高く、次の対象桁ＤＧの硬貨を出金すべきであることを表しており、このとき釣銭制御部１２１は再度ステップＳＰ２７へ戻って一連の処理を繰り返す。
【０１１９】
またステップＳＰ３１において否定結果が得られると、このことは釣銭額ＣＨの全てを出金し終えたことを表しており、このとき釣銭制御部１２１は次のステップＳＰ３３へ移る。
【０１２０】
ステップＳＰ３３において釣銭制御部１２１は、硬貨出金サブルーチンＳＲＴ２を終了して元の釣銭出金処理手順ＲＴ１（図５）へ処理を戻す。
【０１２１】
このように釣銭制御部１２１は、釣銭として出金すべき硬貨の総枚数に応じて、残額の全桁又は一桁を対象桁ＤＧとして選定し出金すると共に、釣銭表示欄ＣＣのうち対象桁ＤＧの表示を反転させるようになされている。
【０１２２】
［２−２．釣銭出金シーケンス］
次に、釣銭処理部３からの出金処理と、釣銭表示欄ＣＣの表示と、レジ係員による顧客への返金との関係について、図７と対応する図１１及び図１２のシーケンスチャートを用いて説明する。
【０１２３】
［２−２−１．一括して出金する場合］
まず、一例として釣銭額ＣＨが「３３３３円」であったと仮定した場合を図１１に示す。釣銭処理部３は、釣銭額ＣＨに基づいた金種毎の枚数として、「１０００円札が３枚、１００円玉が３枚、１０円玉が３枚、及び１円玉が３枚」と決定する。また釣銭処理部３は、釣銭表示欄ＣＣに釣銭額ＣＨを通常の数字（黒色）により表示すると共に、残額の初期値を釣銭額ＣＨと同一の「３３３３円」に設定する。
【０１２４】
そして釣銭処理部３は、シーケンスＱ１１において、釣銭額ＣＨが１０００円以上であるため、釣銭額ＣＨのうち１０００円の桁に応じて出金部１９から１０００円札３枚を出金させ、残額を「３３３円」に更新する。このとき釣銭表示欄ＣＣは、全桁を通常の数字により表示したまま、表示内容を特に変更しない。
【０１２５】
これに応じてレジ係員は、例えば「まず大きい方から３０００円をお返しします」等と説明しながら、紙幣入出金口１８から取り出した３０００円を顧客に返金する。
【０１２６】
次に釣銭処理部３は、シーケンスＱ１２において、残額である「３３３円」を出金する場合の全枚数を「９枚」と算出し、これが閾値である１０枚未満となるため、残額の全桁を対象桁ＤＧとし、釣銭表示欄ＣＣに表示している釣銭額ＣＨのうち対象桁ＤＧである１００円、１０円及び１円の３桁の表示を反転させる。
【０１２７】
これと共に釣銭処理部３は、対象桁ＤＧに対応する金種である「１００円玉３枚、１０円玉３枚及び１円玉３枚」を出金部１７から一括して出金させ、残額を「０円」に更新して一連の出金処理を終了する。
【０１２８】
これに応じてレジ係員は、釣銭表示欄ＣＣにおいて表示が反転している１００円、１０円及び１円の桁を参照し、例えば「残りの３３３円をお返しします」等と説明しながら、硬貨出金口１６から取り出した３３３円を顧客に返金する。
【０１２９】
因みに釣銭処理部３は、残額が「０円」となっているため、このシーケンスＱ１２により一連の出金処理を終了する。
【０１３０】
［２−２−２．桁毎に出金する場合］
次に、他の例として釣銭額ＣＨが「３３３４円」であったと仮定した場合を図１２に示す。釣銭処理部３は、釣銭額ＣＨに基づいた金種毎の枚数として、「１０００円札が３枚、１００円玉が３枚、１０円玉が３枚、及び１円玉が４枚」と決定する。また釣銭処理部３は、釣銭表示欄ＣＣに釣銭額ＣＨを通常の数字（黒色）により表示すると共に、残額の初期値を釣銭額ＣＨと同一の「３３３４円」に設定する。
【０１３１】
そして釣銭処理部３は、シーケンスＱ２１において、釣銭額ＣＨが１０００円以上であるため、釣銭額ＣＨのうち１０００円の桁に応じて出金部１９から１０００円札３枚を出金させ、残額を「３３４円」に更新する。このとき釣銭表示欄ＣＣは、全桁を通常の数字により表示したまま、表示内容を特に変更しない。
【０１３２】
これに応じてレジ係員は、例えば「まず大きい方から３０００円をお返しします」等と説明しながら、紙幣入出金口１８から取り出した３０００円を顧客に返金する。
【０１３３】
次に釣銭処理部３は、シーケンスＱ２２において、残額である「３３４円」を出金する場合の全枚数を「１０枚」と算出し、これが閾値である１０枚以上となるため、その最大の桁である１００円の桁を対象桁ＤＧとし、釣銭表示欄ＣＣに表示している釣銭額ＣＨのうち対象桁ＤＧである１００円の桁の表示を反転させる。これと共に釣銭処理部３は、対象桁ＤＧに対応する金種である「１００円玉３枚」を出金部１７から出金させ、残額を「３４円」に更新する。
【０１３４】
これに応じてレジ係員は、釣銭表示欄ＣＣにおいて表示が反転している１００円の桁を参照し、例えば「次に３００円をお返しします」等と説明しながら、硬貨出金口１６から取り出した３００円を顧客に返金する。
【０１３５】
ここで釣銭処理部３は、直前の出金から待機時間である５秒間が経過すると、次のシーケンスＱ２３へ移る。
【０１３６】
シーケンスＱ２３において、釣銭処理部３は、残額である「３４円」のうち最大の桁である１０円の桁を対象桁ＤＧとし、釣銭表示欄ＣＣに表示している釣銭額ＣＨのうち直前の対象桁ＤＧである１００円の桁の表示を通常に戻し、現在の対象桁ＤＧである１０円の桁の表示を反転させる。これと共に釣銭処理部３は、対象桁ＤＧに対応する金種である「１０円玉３枚」を出金部１７から出金させ、残額を「４円」に更新する。
【０１３７】
これに応じてレジ係員は、釣銭表示欄ＣＣにおいて表示色が変化している１０円の桁を参照し、例えば「次に３０円をお返しします」等と説明しながら、硬貨出金口１６から取り出した３０円を顧客に返金する。
【０１３８】
ここで釣銭処理部３は、直前の出金から待機時間である５秒間が経過すると、次のシーケンスＱ２４へ移る。
【０１３９】
シーケンスＱ２４において、釣銭処理部３は、残額である「４円」のうち最大の桁である１円の桁を対象桁ＤＧとし、釣銭表示欄ＣＣに表示している釣銭額ＣＨのうち直前の対象桁ＤＧである１０円の桁の表示を通常に戻し、現在の対象桁ＤＧである１円の桁の表示を反転させる。これと共に釣銭処理部３は、対象桁ＤＧに対応する金種である「１円玉４枚」を出金部１７から出金させ、残額を「０円」に更新する。
【０１４０】
これに応じてレジ係員は、釣銭表示欄ＣＣにおいて表示色が変化している１円の桁を参照し、例えば「残りの４円をお返しします」等と説明しながら、硬貨出金口１６から取り出した４円を顧客に返金する。
【０１４１】
因みに釣銭処理部３は、残額が「０円」となっているため、このシーケンスＱ２４により一連の出金処理を終了する。
【０１４２】
［２−３．動作及び効果］
以上の構成において、第２の実施の形態による釣銭制御部１２１は、統括制御部５から釣銭額ＣＨの通知を受けると、当該釣銭額ＣＨを釣銭表示欄ＣＣに表示すると共に、当該釣銭額ＣＨに応じて、出金すべき紙幣及び硬貨の枚数を金種毎に決定する。また釣銭制御部１２１は、釣銭額ＣＨが１０００円以上であれば、まず紙幣を出金すると共に残額を更新する。
【０１４３】
続いて釣銭制御部１２１は、残額に相当する硬貨の全枚数を算出する。ここで釣銭制御部１２１は、全枚数が閾値未満であれば、残額に相当する全桁を対象桁ＤＧとして、釣銭表示欄ＣＣに表示している釣銭額ＣＨのうち当該対象桁ＤＧの表示を反転させると共に、対象桁ＤＧの硬貨、すなわち残額全ての硬貨を一括して出金させる。
【０１４４】
また釣銭制御部１２１は、釣銭の残額に相当する硬貨の全枚数が閾値以上であれば、第１の実施の形態と同様に対象桁ＤＧを残額のうち最大の桁に設定し、釣銭表示欄ＣＣに表示している釣銭額ＣＨのうち当該対象桁ＤＧの表示を反転させると共に、対象桁ＤＧの金種のみの硬貨を出金させる。
【０１４５】
これを換言すれば、釣銭制御部１２１は、釣銭額ＣＨの硬貨の全枚数が少ない場合には、レジ係員や顧客による硬貨の金種や枚数の把握が容易であることから、一括して出金することにより所要時間の短縮や手間の削減を図ることができる。
【０１４６】
その一方で釣銭制御部１２１は、釣銭額ＣＨの硬貨の全枚数が多い場合には、所要時間の延長や手間の増加を招きながらも、桁毎に分割して硬貨を出金することにより、出金の度に硬貨の金種や枚数を容易に把握させることができる。
【０１４７】
さらに釣銭制御部１２１は、いずれの場合にも硬貨の出金と連動するように、釣銭表示欄ＣＣに表示している釣銭額ＣＨのうち当該対象桁ＤＧの表示を反転させるため、レジ係員や顧客に対し、釣銭額のうちどの部分が出金されているのかを容易に認識させることができる。
【０１４８】
また釣銭制御部１２１は、一桁ごとに出金する場合、待機時間が経過するまで対象桁ＤＧの表示を反転させたままとするため、出金後レジ係員が硬貨出金口１６から対象桁ＤＧの硬貨を取り出して顧客に渡す頃までは、当該対象桁ＤＧを反転させたままとすることになる。
【０１４９】
このため釣銭制御部１２１は、レジ係員が硬貨出金口１６から硬貨を取り出して確認する時点のみでなく、その後にレジ係員が顧客に当該硬貨を渡す時点やその後に顧客が釣銭表示欄ＣＣと渡された硬貨とを見比べる時点においても、反転された対象桁ＤＧに容易に着目させることができる。
【０１５０】
また釣銭制御部１２１は、一桁ごとに出金する場合、待機時間が経過すると次の桁の硬貨を出金するため、第１の実施の形態のように硬貨出金口１６にセンサ１６Ｓを設ける必要が無く、釣銭処理部３の構成の簡略化に寄与することができる。
【０１５１】
その他の点についても、釣銭制御部１２１は、第１の実施の形態による釣銭制御部２１と同様の作用効果を奏し得る。
【０１５２】
以上の構成によれば、釣銭制御部１２１は、出金すべき硬貨の全枚数に応じて残額の全桁又は一桁を対象桁ＤＧとし、釣銭表示欄ＣＣに表示している釣銭額ＣＨのうち当該対象桁ＤＧの表示を反転させると共に、当該対象桁ＤＧの金種のみの硬貨を出金する。これにより釣銭制御部１２１は、釣銭表示欄ＣＣの表示を一時的に変更して強調しながら、硬貨出金口１６に一度に出金する硬貨の種類及び枚数をいずれも少なく抑えることができ、さらに全枚数が少ない場合には一括して出金することができるので、レジ係員及び顧客に対し、出金された硬貨の種類や枚数を対象桁ＤＧ毎に容易に把握させると共に、釣銭表示欄ＣＣに表示された数字のうち当該対象桁ＤＧの部分と容易に照合させることができ、さらに全枚数によっては所要時間の短縮や手間の削減を図ることもできる。
【０１５３】
［３．第３の実施の形態］
第３の実施の形態においては、第１の実施の形態による釣銭制御部２１に代えて、釣銭制御部２２１が用いられる。
【０１５４】
［３−１．釣銭出金処理］
この釣銭制御部２２１は、釣銭のうち特に硬貨を出金する際、基本的には桁毎に分けて出金するものの、枚数が少ない桁については複数桁をまとめて出金するようになされている。
【０１５５】
具体的に釣銭制御部２２１は、第１の実施の形態による釣銭制御部２１と同様の回路構成を有するものの（図２）、釣銭出金プログラムを実行した際に、第１の実施の形態と異なり、図４との対応部分に同一符号を付した図１３に示すような機能ブロックを構成するようになされている。
【０１５６】
すなわち釣銭制御部２２１は、第１の実施の形態と同様の枚数決定部４１及び出金指示部４３に加えて、第１の実施の形態による桁選定部４２及び表示制御部４４とそれぞれ対応する桁選定部２４２及び表示制御部２４４を有している。
【０１５７】
表示制御部２４４は、表示制御部４４と同様に表示画面内の釣銭表示欄ＣＣ（図３（Ａ））に釣銭額ＣＨを通常の大きさの数字によって表示させる他、対象桁ＤＧの数字を拡大表示させるようになされている。
【０１５８】
桁選定部２４２は、さらに仮選定部２５１、仮枚数算出部２５２及び比較選定部２５３の各機能ブロックにより構成されている。
【０１５９】
仮選定部２５１は、釣銭額ＣＨを桁毎に分解した上で、対象桁ＤＧを選定するために仮の出金対象とする桁（以下これを仮対象桁ＤＭと呼ぶ）を選定し、これを仮枚数算出部２５２へ通知する。
【０１６０】
仮枚数算出部２５２は、仮対象桁ＤＭの硬貨の枚数を全て加算した仮枚数を算出し、これを比較選定部２５３へ通知する。
【０１６１】
比較選定部２５３は、仮枚数を所定の閾値（例えば５枚）と比較し、仮枚数が閾値未満であれば仮対象桁を一桁追加して仮枚数の算出及び閾値との比較を繰り返し、仮枚数が閾値以上であればこのときの仮対象桁ＤＭを全て対象桁ＤＧとして選定する。
【０１６２】
そして釣銭制御部２２１は、第１の実施の形態と同様に釣銭出金処理手順ＲＴ１（図５）に従って釣銭を出金するものの、ステップＳＰ９における硬貨出金処理については、図６と対応する図１４に示す硬貨出金サブルーチンＳＲＴ３を実行するようになされている。
【０１６３】
すなわち釣銭制御部２２１は、硬貨出金サブルーチンＳＲＴ３を開始してステップＳＰ４１へ移り、仮選定部２５１によって残額のうち最大の一桁を仮対象桁ＤＭとして選定し、これを仮枚数算出部２５２へ通知して、次のステップＳＰ４２へ移る。
【０１６４】
ステップＳＰ４２において釣銭制御部２２１は、仮枚数算出部２５２によって、全ての仮対象桁ＤＭの硬貨の枚数を加算することにより仮枚数を算出し、次のステップＳＰ４３へ移る。
【０１６５】
ステップＳＰ４３において釣銭制御部２２１は、比較選定部２５３によって、仮枚数が所定の閾値（例えば５枚）以上であるか否かを判定する。ここで否定結果が得られると、このことは仮枚数が比較的少なく、同時に出金する枚数をさらに増加し得ることを表しており、このとき釣銭制御部２２１は次のステップＳＰ４４へ移る。
【０１６６】
ステップＳＰ４４において釣銭制御部２２１は、仮選定部２５１によって、現在仮対象桁ＤＭとして選択されていない桁のうち最大の桁を仮対象桁ＤＭに加えることにより、当該仮対象桁ＤＭを一桁追加して、次のステップＳＰ４５へ移る。
【０１６７】
ステップＳＰ４５において釣銭制御部２２１は、仮選定部２５１によって、仮対象桁ＤＭが残額の全桁に相当するか否かを判別する。ここで否定結果が得られると、このことは未だ仮対象桁ＤＭとして選定されていない桁が残っているため、現在の仮対象桁ＤＭにもう一桁を追加できるか否かを再度判別すべきであることを表しており、このとき釣銭制御部２２１は再度ステップＳＰ４２へ戻る。
【０１６８】
一方、ステップＳＰ４５において肯定結果が得られると、このことはこれ以上仮対象桁ＤＭを追加できないため、無条件で現在の仮対象桁ＤＭを対象桁ＤＧとすべきであることを表しており、このとき釣銭制御部２２１は次のステップＳＰ４６へ移る。
【０１６９】
また、ステップＳＰ４３において肯定結果が得られると、このことは仮枚数が比較的多いため、仮対象桁ＤＭにこれ以上の桁を追加すべきでないことを表しており、このとき釣銭制御部２２１は次のステップＳＰ４６へ移る。
【０１７０】
ステップＳＰ４６において釣銭制御部２２１は、比較選定部２５３によって、現在の全ての仮対象桁ＤＭを対象桁ＤＧとして選定し、次のステップＳＰ４７へ移る。
【０１７１】
ステップＳＰ４７において釣銭制御部２２１は、表示制御部２４４により、表示画面内の釣銭表示欄ＣＣに表示している釣銭額ＣＨのうち対象桁ＤＧの大きさを他の桁よりも拡大して表示し、次のステップＳＰ４８へ移る。
【０１７２】
ステップＳＰ４８において釣銭制御部２２１は、出金指示部４３により、対象桁ＤＧの硬貨のみを出金させる出金指示を生成し、これを出金部１７へ供給してから次のステップＳＰ４９へ移る。
【０１７３】
ステップＳＰ４９において釣銭制御部２２１は、残額から出金済の金額を差し引くことにより当該残額を更新し、次のステップＳＰ５０へ移る。
【０１７４】
ステップＳＰ５０において釣銭制御部２２１は、桁選定部２４２により、残額が０よりも大きいか否か、すなわち釣銭のうち未だ出金していない硬貨があるか否かを判定する。ここで肯定結果が得られると、釣銭制御部２２１は次のステップＳＰ５１へ移る。
【０１７５】
ステップＳＰ５１において釣銭制御部２２１は、桁選定部２４２により硬貨出金口１６のセンサ１６Ｓから検出信号を取得し、これを基に当該硬貨出金口１６から硬貨が取り出されたか否かを判定する。ここで否定結果が得られると、釣銭制御部２２１は、このステップＳＰ５１を繰り返すことにより硬貨出金口１６から硬貨が取り出されるのを待ち受ける。
【０１７６】
一方、ステップＳＰ５１において肯定結果が得られると、釣銭制御部２２１は次の対象桁ＤＧを選定した上で出金処理を行うべく、再度ステップＳＰ４１へ戻って一連の処理を繰り返す。
【０１７７】
またステップＳＰ５０において否定結果が得られると、このことは釣銭額ＣＨの全てを出金し終えたことを表しており、このとき釣銭制御部２２１は次のステップＳＰ５２へ移る。
【０１７８】
ステップＳＰ５２において釣銭制御部２２１は、硬貨出金サブルーチンＳＲＴ３を終了して元の釣銭出金処理手順ＲＴ１（図５）へ処理を戻す。
【０１７９】
このように釣銭制御部２２１は、桁毎の枚数が多い場合には一桁ごとに対象桁ＤＧとし、桁毎の枚数が少ない場合には複数桁をまとめて対象桁ＤＧとしながら、当該対象桁ＤＧのみの硬貨を一度に出金すると共に、釣銭表示欄ＣＣのうち対象桁ＤＧの数字を拡大して表示させるようになされている。
【０１８０】
［３−２．釣銭出金シーケンス］
次に、釣銭処理部３からの出金処理と、釣銭表示欄ＣＣの表示と、レジ係員による顧客への返金との関係について、図７と対応する図１５のシーケンスチャートを用いて説明する。ここでは、一例として釣銭額ＣＨが「３９１１円」であると仮定する。
【０１８１】
釣銭処理部３は、まず釣銭額ＣＨに基づいた金種毎の枚数として、「１０００円札が３枚、５００円玉が１枚、１００円玉が４枚、１０円玉が１枚、及び１円玉が１枚」と決定する。また釣銭処理部３は、釣銭表示欄ＣＣに釣銭額ＣＨを通常の数字（黒色）により表示すると共に、残額の初期値を釣銭額ＣＨと同一の「３９１１円」に設定する。
【０１８２】
そして釣銭処理部３は、シーケンスＱ３１において、釣銭額ＣＨが１０００円以上であるため、釣銭額ＣＨのうち１０００円の桁に応じて出金部１９から１０００円札３枚を出金させ、残額を「９１１円」に更新する。このとき釣銭表示欄ＣＣは、全桁を通常の数字により表示したまま、表示内容を特に変更しない。
【０１８３】
これに応じてレジ係員は、例えば「まず大きい方から３０００円をお返しします」等と説明しながら、紙幣入出金口１８から取り出した３０００円を顧客に返金する。
【０１８４】
次に釣銭処理部３は、シーケンスＱ３２において、残額である「９１１円」のうち最大の桁である１００円の桁を仮対象桁ＤＭとし、その仮枚数を５枚と算出して、これが閾値である５枚以上となるため、この仮対象桁ＤＭをそのまま対象桁ＤＧに選定する。
【０１８５】
そして釣銭処理部３は、釣銭表示欄ＣＣに表示している釣銭額ＣＨのうち対象桁ＤＧである１００円の桁の数字を拡大すると共に、対象桁ＤＧに対応する金種である「５００円玉１枚及び１００円玉４枚」を出金部１７から出金させ、残額を「１１円」に更新する。
【０１８６】
これに応じてレジ係員は、釣銭表示欄ＣＣにおいて拡大して表示されている１００円の桁を参照し、例えば「次に９００円をお返しします」等と説明しながら、硬貨出金口１６から取り出した９００円を顧客に返金する。
【０１８７】
ここで釣銭処理部３は、センサ１６Ｓにより硬貨出金口１６から硬貨が取り出されたことを検出すると、次のシーケンスＱ３３へ移る。
【０１８８】
シーケンスＱ３３において、釣銭処理部３は、残額である「１１円」のうち最大の桁である１０円の桁を仮対象桁ＤＭとし、その仮枚数を１枚と算出する。続いて釣銭処理部３は、この仮枚数が閾値である５枚未満となるため、次の桁である１円の桁を仮対象桁ＤＭに追加し、これにより仮対象桁ＤＭが残額の全桁に相当することになるため、１０円の桁及び１円の桁でなる仮対象桁ＤＭをそのまま対象桁ＤＧに選定する。
【０１８９】
そして釣銭処理部３は、釣銭表示欄ＣＣに表示している釣銭額ＣＨのうち直前の対象桁ＤＧである１００円の桁の数字を通常の大きさに戻し、現在の対象桁ＤＧである１０円の桁及び１円の桁の数字を拡大する。これと共に釣銭処理部３は、対象桁ＤＧに対応する金種である「１０円玉１枚及び１円玉１枚」を出金部１７から出金させ、残額を「０円」に更新する。
【０１９０】
これに応じてレジ係員は、釣銭表示欄ＣＣにおいて拡大して表示されている１０円の桁及び１円の桁を参照し、例えば「残りの１１円をお返しします」等と説明しながら、硬貨出金口１６から取り出した１１円を顧客に返金する。
【０１９１】
因みに釣銭処理部３は、残額が「０円」となっているため、このシーケンスＱ３３により一連の出金処理を終了する。
【０１９２】
［３−３．動作及び効果］
以上の構成において、第３の実施の形態による釣銭制御部２２１は、統括制御部５から釣銭額ＣＨの通知を受けると、当該釣銭額ＣＨを釣銭表示欄ＣＣに表示すると共に、当該釣銭額ＣＨに応じて、出金すべき紙幣及び硬貨の枚数を金種毎に決定する。また釣銭制御部２２１は、釣銭額ＣＨが１０００円以上であれば、まず紙幣を出金すると共に残額を更新する。
【０１９３】
続いて釣銭制御部２２１は、仮対象桁ＤＭを選定し、仮枚数が閾値（例えば５枚）以上となるまで仮対象桁ＤＭを１桁ずつ追加していくことにより、１桁以上の対象桁ＤＧを選定する。
【０１９４】
そして釣銭制御部２２１は、釣銭表示欄ＣＣに表示している釣銭額ＣＨのうち当該対象桁ＤＧの数字を拡大して表示させると共に、対象桁ＤＧの金種のみの硬貨を出金させる。
【０１９５】
これを換言すれば、釣銭制御部２２１は、出金すべき硬貨の枚数が少ない桁については、隣接する桁と合わせて出金することにより、出金された硬貨の金種や枚数の確認が容易となるような範囲で、所要時間の短縮や手間の削減を図ることができる。
【０１９６】
その一方で釣銭制御部２２１は、出金すべき硬貨の枚数が多い桁については、一桁毎に出金することにより、レジ係員や顧客に硬貨の金種や枚数を容易に確認させることができる。
【０１９７】
すなわち釣銭制御部２２１は、一桁ごとに出金するか、或いは複数桁をまとめて出金するかを桁毎に判断するため、一度に出金する硬貨の金種及び枚数を抑えてレジ係員や顧客による確認時の負担を軽減しながらも、所要時間や手間を必要最小限に抑えることができる。
【０１９８】
さらに釣銭制御部２２１は、いずれの場合にも釣銭表示欄ＣＣに表示している釣銭額ＣＨのうち当該対象桁ＤＧの数字を拡大して表示させるため、レジ係員や顧客に対し、釣銭額のうちどの部分が出金されているのかを容易に認識させることができる。
【０１９９】
その他の点についても、釣銭制御部２２１は、第１の実施の形態による釣銭制御部２１と同様の作用効果を奏し得る。
【０２００】
以上の構成によれば、釣銭制御部２２１は、桁毎の出金すべき硬貨の枚数に応じて１桁又は２桁以上の桁を対象桁ＤＧとし、釣銭表示欄ＣＣに表示している釣銭額ＣＨのうち当該対象桁ＤＧの数字を拡大して表示させると共に、当該対象桁ＤＧの金種のみの硬貨を出金する。これにより釣銭制御部２２１は、釣銭表示欄ＣＣの表示を一時的に変更して強調しながら、硬貨出金口１６に一度に出金する硬貨の種類及び枚数をいずれも少なく抑えることができ、枚数が少ない桁については複数桁をまとめて出金することもできるので、レジ係員及び顧客に対し、出金された硬貨の種類や枚数を対象桁ＤＧ毎に容易に視認させると共に、釣銭表示欄ＣＣに表示された数字のうち当該対象桁ＤＧの部分と容易に照合させることができ、さらに所要時間の短縮や手間の削減を図ることもできる。
【０２０１】
［４．第４の実施の形態］
第４の実施の形態においては、第１の実施の形態による釣銭制御部２１に代えて、釣銭制御部３２１が用いられる。
【０２０２】
［４−１．釣銭出金処理］
この釣銭制御部３２１は、釣銭のうち特に硬貨を出金する際、レジ係員の操作に応じて、桁毎に分けて出金するか、或いは全桁を一括して出金するかを切り換えるようになされている。
【０２０３】
具体的に釣銭制御部３２１は、第１の実施の形態による釣銭制御部２１と同様の回路構成を有するものの（図２）、釣銭出金プログラムを実行した際に、第１の実施の形態と異なり、図４との対応部分に同一符号を付した図１６に示すような機能ブロックを構成するようになされている。
【０２０４】
すなわち釣銭制御部３２１は、第１の実施の形態と同様の枚数決定部４１及び出金指示部４３に加えて、第１の実施の形態による桁選定部４２及び表示制御部４４とそれぞれ対応する桁選定部３４２及び表示制御部３４４を有している。
【０２０５】
表示制御部３４４は、図１７（Ａ）に示すように、表示制御部４４と同様に表示画面内の釣銭表示欄ＣＣに釣銭額ＣＨを表示させる他、対象桁ＤＧの数字の真上にカーソルＣＵＲを表示させるようになされている。
【０２０６】
桁選定部３４２は、残額を１桁毎に対象桁ＤＧとして選定する桁毎出金モードと、全桁を一括して対象桁ＤＧに選定する一括出金モードとの２種類の出金モードを有している。また桁選定部３４２は、操作部１３（図１）に設けられた出金モード切換ボタン（図示せず）が押下される度に、これらの出金モードを交互に切り換えるようになされている。
【０２０７】
また表示制御部３４４は、表示部６Ａにおける釣銭表示欄ＣＣの近傍に、現在の出金モードを表示するモード表示欄ＭＤを表示している。表示制御部３４４は、現在の出金モードが桁毎出金モードであれば、図１７（Ａ）に示したようにモード表示欄ＭＤに「桁毎」と表示させ、一括出金モードであれば、図１７（Ｂ）に示すようにモード表示欄ＭＤに「一括」と表示させるようになされている。
【０２０８】
さらに桁選定部３４２は、操作部１３に設けられた次桁出金ボタン（図示せず）がレジ係員により押下されると、当該操作部１３から供給される次桁出金信号を取得するようになされている。
【０２０９】
そして釣銭制御部３２１は、第１の実施の形態と同様に釣銭出金処理手順ＲＴ１（図５）に従って釣銭を出金するものの、ステップＳＰ９における硬貨出金処理については、図６と対応する図１８に示す硬貨出金サブルーチンＳＲＴ４を実行するようになされている。
【０２１０】
すなわち釣銭制御部３２１は、硬貨出金サブルーチンＳＲＴ４を開始してステップＳＰ６１へ移り、現在の出金モードが桁毎出金モード又は一括出金モードのいずれであるかを検出して、次のステップＳＰ６２へ移る。
【０２１１】
ステップＳＰ６２において釣銭制御部３２１は、桁毎出金モードであるか否かを判定する。ここで否定結果が得られると、このことはレジ係員の操作により一括出金モードが選択されていることを表しており、このとき釣銭制御部３２１は次のステップＳＰ６３へ移る。
【０２１２】
ステップＳＰ６３において釣銭制御部３２１は、桁選定部３４２により、残額に相当する全桁（最大で３桁）を対象桁ＤＧとして選定し、次のステップＳＰ６４へ移る。
【０２１３】
ステップＳＰ６４において釣銭制御部３２１は、表示制御部３４４により、表示画面内の釣銭表示欄ＣＣに表示している釣銭額ＣＨのうち対象桁ＤＧの各数字の上側にカーソルＣＵＲを表示させ（図１７（Ｂ））、次のステップＳＰ６５へ移る。
【０２１４】
ステップＳＰ６５において釣銭制御部３２１は、出金指示部４３により、対象桁ＤＧの硬貨、すなわち残額全ての硬貨を出金させる出金指示を生成し、これを出金部１７へ供給してから次のステップＳＰ６６へ移る。
【０２１５】
これに応じて出金部１７は、出金指示に従い、対象桁ＤＧの硬貨を硬貨出金口１６（図１）へ出金する。このときレジ係員は、表示部６Ａの釣銭表示欄ＣＣを参照しながら、硬貨出金口１６に出金された硬貨を取り出し、これを顧客へ返金する。
【０２１６】
ステップＳＰ６６において釣銭制御部３２１は、残額から出金済の金額を差し引くことにより当該残額を「０」に更新し、次のステップＳＰ３３へ移る。
【０２１７】
一方、ステップＳＰ６２において肯定結果が得られると、このことはレジ係員の操作により桁毎出金モードが選択されていることを表しており、このとき釣銭制御部３２１は次のステップＳＰ６７へ移る。
【０２１８】
ステップＳＰ６７において釣銭制御部３２１は、桁選定部３４２により、残額のうち最大の桁を対象桁ＤＧとして選定し、これを出金指示部４３及び表示制御部３４４へ通知して、次のステップＳＰ６８へ移る。
【０２１９】
ステップＳＰ６８において釣銭制御部３２１は、表示制御部３４４により、表示画面内の釣銭表示欄ＣＣに表示している釣銭額ＣＨのうち対象桁ＤＧの数字の上側にカーソルＣＵＲを表示させ（図１７（Ａ））、次のステップＳＰ６９へ移る。
【０２２０】
ステップＳＰ６９において釣銭制御部３２１は、出金指示部４３により、対象桁ＤＧの硬貨のみを出金させる出金指示を生成し、これを出金部１７へ供給してから次のステップＳＰ７０へ移る。
【０２２１】
これに応じて出金部１７は、出金指示に従い、対象桁ＤＧの硬貨のみを硬貨出金口１６（図１）へ出金する。このときレジ係員は、表示部６Ａの釣銭表示欄ＣＣを参照しながら、硬貨出金口１６に出金された硬貨を取り出し、これを顧客へ返金する。
【０２２２】
ステップＳＰ７０において釣銭制御部３２１は、残額から出金済の金額を差し引くことにより当該残額を更新し、次のステップＳＰ７１へ移る。
【０２２３】
ステップＳＰ７１において釣銭制御部３２１は、桁選定部３４２により、残額が０よりも大きいか否か、すなわち釣銭のうち未だ出金していない硬貨があるか否かを判定する。ここで肯定結果が得られると、釣銭制御部３２１は次のステップＳＰ７２へ移る。
【０２２４】
ステップＳＰ７２において釣銭制御部３２１は、次桁出金信号を取得したか否かを基に操作部１３の次桁出金ボタンが押下されたか否かを判定する。ここで否定結果が得られると、このことは直前に出金された釣銭をレジ係員が顧客に受け渡す作業の途中である等、レジ係員側で次の桁の釣銭を取り出す準備ができていないことを表しており、このとき釣銭制御部３２１はステップＳＰ７２を繰り返すことにより、次桁出金ボタンの押下を待つ。
【０２２５】
一方、ステップＳＰ７２において肯定結果が得られると、このことはレジ係員が自らの意思により次桁出金ボタンを押下しており、次の桁の釣銭を取り出す準備ができていることを表しており、このとき釣銭制御部３２１は次の対象桁ＤＧを選定した上で出金処理を行うべく、再度ステップＳＰ６７へ戻って一連の処理を繰り返す。
【０２２６】
またステップＳＰ７１において否定結果が得られると、このことは釣銭額ＣＨの全てを出金し終えたことを表しており、このとき釣銭制御部３２１は次のステップＳＰ７３へ移る。
【０２２７】
ステップＳＰ７３において釣銭制御部３２１は、硬貨出金サブルーチンＳＲＴ４を終了して元の釣銭出金処理手順ＲＴ１（図５）へ処理を戻す。
【０２２８】
このように釣銭制御部３２１は、レジ係員の操作に応じて設定された出金モードに従い、一括出金モードであれば硬貨の全桁を一括して出金し、桁毎出金モードであれば第１の実施の形態と同様に一桁分ずつ出金するよう切り換えると共に、釣銭表示欄ＣＣのうち対象桁ＤＧの表示を反転させるようになされている。
【０２２９】
［４−２．動作及び効果］
以上の構成において、第４の実施の形態による釣銭制御部３２１は、統括制御部５から釣銭額ＣＨの通知を受けると、当該釣銭額ＣＨを釣銭表示欄ＣＣに表示すると共に、当該釣銭額ＣＨに応じて、出金すべき紙幣及び硬貨の枚数を金種毎に決定する。また釣銭制御部３２１は、釣銭額ＣＨが１０００円以上であれば、まず紙幣を出金すると共に残額を更新する。
【０２３０】
続いて釣銭制御部３２１は、レジ係員により選択されている出金モードを検出し、一括出金モードであれば、残額に相当する全桁を対象桁ＤＧとして、釣銭表示欄ＣＣに表示している釣銭額ＣＨのうち当該対象桁ＤＧの各数字の上側にカーソルＣＵＲを表示させると共に、対象桁ＤＧの硬貨、すなわち残額全ての硬貨を一括して出金させる。
【０２３１】
また釣銭制御部３２１は、桁毎出金モードであれば、第１の実施の形態と同様に対象桁ＤＧを残額のうち最大の桁に設定し、釣銭表示欄ＣＣに表示している釣銭額ＣＨのうち当該対象桁ＤＧの数字の上側にカーソルＣＵＲを表示させると共に、対象桁ＤＧの金種のみの硬貨を出金させる。
【０２３２】
このため釣銭制御部３２１は、レジ係員の判断により、例えば混雑している場合や釣銭額ＣＨの全枚数が少ない場合等に、一括して出金することにより所要時間の短縮や手間の削減を図ることができ、また例えば顧客が子供やお年寄りであった場合等に、所要時間の延長や手間の増加を承知しながらも、桁毎に分割して硬貨を出金することにより、出金の度に硬貨の金種や枚数を容易に確認させることができる。
【０２３３】
さらに釣銭制御部３２１は、いずれの場合にも釣銭表示欄ＣＣに表示している釣銭額ＣＨのうち当該対象桁ＤＧの数字の上側にカーソルＣＵＲを表示させるため、レジ係員や顧客に対し、釣銭額のうちどの部分が出金されているのかを容易に認識させることができる。
【０２３４】
また釣銭制御部３２１は、釣銭表示欄ＣＣの近傍に設けたモード表示欄ＭＤに出金モードを表示しているため、レジ係員が当該釣銭表示欄ＣＣを視認する際に釣銭額ＣＨや対象桁ＤＧに加えてこのときの出金モードについても確認させることができる。
【０２３５】
その他の点についても、釣銭制御部３２１は、第１の実施の形態による釣銭制御部２１と同様の作用効果を奏し得る。
【０２３６】
以上の構成によれば、釣銭制御部３２１は、レジ係員に選択された出金モードに応じて残額の全桁又は一桁を対象桁ＤＧとし、釣銭表示欄ＣＣに表示している釣銭額ＣＨのうち当該対象桁ＤＧの数字の上側にカーソルＣＵＲを表示させると共に、当該対象桁ＤＧの金種のみの硬貨を出金する。これにより釣銭制御部３２１は、釣銭表示欄ＣＣの表示を一時的に変更して強調しながら、桁毎出金モードが選択された場合には硬貨出金口１６に一度に出金する硬貨の種類及び枚数をいずれも少なく抑えることができ、一括出金モードが選択された場合には一括して出金することができるので、レジ係員及び顧客に対し、出金された硬貨の種類や枚数を対象桁ＤＧ毎に容易に視認させると共に、釣銭表示欄ＣＣに表示された数字のうち当該対象桁ＤＧの部分と容易に照合させることができ、さらにレジ係員の選択により所要時間の短縮や手間の削減を図ることもできる。
【０２３７】
［５．他の実施の形態］
なお上述した第１の実施の形態においては釣銭表示欄ＣＣにおける対象桁ＤＧの表示色を変更し、第２の実施の形態においては対象桁ＤＧの表示を反転させ、第３の実施の形態においては対象桁ＤＧの数字を拡大して表示し、第４の実施の形態においては対象桁ＤＧの数字の上側にカーソルＣＵＲを表示するようにした場合について述べた。
【０２３８】
しかしながら本発明はこれに限らず、例えば対象桁ＤＧの数字を点滅させ、或いは対象桁ＤＧの背景色のみを変更し、さらには対象桁ＤＧの書体を太字に変更する等しても良く、さらにはこれらを適宜組み合わせても良い。また第４の実施の形態におけるカーソルＣＵＲとしては、矢印状にかぎらず、円状、三角形状や四角形状等、種々の形状を用いることができ、さらには様々な色で表示しても良く、また表示位置を上側に限らず下側や上下両側等としても良い。すなわち、要は釣銭額ＣＨ全体を表示しながらも対象桁ＤＧの数字又は背景や近傍の表示を一時的に他の桁と相違させることにより、レジ係員や顧客に対象桁ＤＧの数字に着目させることができれば良い。
【０２３９】
また上述した実施の形態においては、レジ釣銭機１におけるレジスタ部２の上側に設けられた表示操作部６の表示部６Ａに釣銭表示欄ＣＣを表示し、これをレジ係員及び顧客に視認させるようにした場合について述べた。
【０２４０】
しかしながら本発明はこれに限らず、例えば精算所にレジ釣銭機１とは別体の金額表示器が設けられている場合に、当該金額表示器に釣銭表示欄ＣＣと同様に釣銭額ＣＨを表示するようにしても良い。さらにこの場合、例えば金額表示器における対象桁ＤＧの数時等の表示を他の桁と相違させるタイミングを、表示操作部６の表示部６Ａに表示した釣銭表示欄ＣＣにおけるタイミングよりも数秒程度遅延させることにより、顧客がレジ係員から硬貨を受け取った後もしばらくは対象桁ＤＧの表示が他の桁と相違した状態を維持し、顧客に容易に照合させるようにしても良い。
【０２４１】
さらに上述した第４の実施の形態においては、表示部６Ａにおける釣銭表示欄ＣＣの近傍にモード表示欄ＭＤを設け、その時点における出金モードを表示するようにした場合について述べた。
【０２４２】
しかしながら本発明はこれに限らず、例えば操作部１３（図１）の表示パネルや硬貨出金口１６の近傍等にＬＥＤ等によるモード表示欄ＭＤを設けても良い。また、例えば第２の実施の形態において表示部６Ａにおける釣銭表示欄ＣＣの近傍にモード表示欄ＭＤを設けることにより、全桁一括又は一桁毎のいずれにより出金されるかをレジ係員に予め提示するようにしても良い。
【０２４３】
さらに上述した第１の実施の形態においては、釣銭表示欄ＣＣの釣銭額ＣＨを、対象桁ＤＧの硬貨を出金するときに一時的に表示色を変更し、次の対象桁ＤＧの硬貨を出金する際には出金済の桁を元の表示色に戻すようにした場合について述べた。
【０２４４】
しかしながら本発明はこれに限らず、例えば出金済の桁の色を出金中の対象桁ＤＧの表示色及び元の表示色のいずれとも異なる表示色に変更することにより、出金済の桁、出金中の桁及び未出金の桁それぞれを表示色によって区別するようにしても良い。第２〜第４の実施の形態についても、同様に桁ごとの表示手法を出金状況に応じて相違させるようにしても良い。
【０２４５】
さらに上述した第１の実施の形態においては、釣銭表示欄ＣＣにおいて通常の数字を白色の背景に黒色の数字により表示し、対象桁ＤＧの数字を赤色とするようにした場合について述べた。
【０２４６】
しかしながら本発明はこれに限らず、例えば通常の数字を黒色の背景に緑色の数字により表示し、対象桁ＤＧの数字を黄色とする等、他の種々の配色とするようにしても良い。第２〜第４の実施の形態についても同様である。
【０２４７】
さらに上述した第１の実施の形態においては１桁ずつ、第２の実施の形態においては総枚数に応じて全桁を一括して又は１桁ずつ、第３の実施の形態においては桁毎の枚数に応じて１桁ずつ又は複数桁をまとめて、第４の実施の形態においては出金モードに応じて全桁を一括して又は１桁ずつ、対象桁ＤＧを選定するようにした場合について述べた。
【０２４８】
しかしながら本発明はこれに限らず、例えば第３及び第４の実施の形態を組み合わせることにより、出金モードに応じて、全桁を一括して選定し又は桁毎の枚数に応じて１桁ずつ若しくは複数桁を対象桁ＤＧとして選定する等、種々の手法により１以上の桁でなる対象桁ＤＧを選定するようにしても良い。
【０２４９】
さらに上述した第２の実施の形態においては、閾値を１０枚とし、第３の実施の形態においては、閾値を５枚とするようにした場合について述べた。
【０２５０】
しかしながら本発明はこれに限らず、それぞれの閾値を任意の枚数としても良い。この場合、閾値としては、一度に出金される硬貨の金種及び枚数を容易に把握し得る範囲に止めるよう、適切に定めることが望ましい。
【０２５１】
さらに上述した実施の形態においては、紙幣の出金時には、釣銭表示欄ＣＣの表示を特に変更しないようにした場合について述べた。
【０２５２】
しかしながら本発明はこれに限らず、例えば紙幣の出金時に釣銭表示欄ＣＣにおける１０００円の桁の表示を他の桁と相違させるようにしても良い。
【０２５３】
さらに上述した第２の実施の形態においては、桁毎に出金する際の待機時間を５秒とするようにした場合について述べた。
【０２５４】
しかしながら本発明はこれに限らず、待機時間を例えば３秒や８秒などの任意の時間としても良く、さらには出金する硬貨の枚数や金種の数に応じて適宜変化させるようにしても良い。
【０２５５】
さらに上述した第４の実施の形態においては、レジ係員が操作部１３の次桁出金ボタンを押下することにより、対象桁ＤＧを次の桁に移して次の出金処理を行うようにした場合について述べた。
【０２５６】
しかしながら本発明はこれに限らず、例えば硬貨出金口１６（図１）の近傍等、レジ係員の作業効率を高め得る種々の箇所に次桁出金ボタンを配置するようにしても良い。
【０２５７】
さらに上述した第１の実施の形態においては、釣銭制御部２１においてＣＰＵ２２が釣銭出金プログラムを実行することにより、枚数決定部４１、桁選定部４２、出金指示部４３及び表示制御部４４の各ブロックをソフトウェアにより構成するようにした場合について述べた。
【０２５８】
しかしながら本発明はこれに限らず、例えばハードウェアにより各ブロックを構成するようにしても良い。第２〜第４の実施の形態についても同様である。
【０２５９】
さらに上述した第１の実施の形態においては、釣銭処理部３を制御する釣銭制御部２１により釣銭出金プログラムを実行するようにした場合について述べた。
【０２６０】
しかしながら本発明はこれに限らず、例えばレジスタ部２の統括制御部５により釣銭出金プログラムを実行するようにしても良い。第２〜第４の実施の形態についても同様である。
【０２６１】
さらに上述した第１の実施の形態においては、釣銭制御部２１のメモリ２３に予め記憶された釣銭出金プログラムをＣＰＵ２２が読み出して実行することにより釣銭出金処理を行うようにした場合について述べた。
【０２６２】
しかしながら本発明はこれに限らず、例えばレジ釣銭機１が通信インタフェースを介してホストコンピュータやサーバ装置等と接続されている場合に、このホストコンピュータやサーバ装置等から釣銭出金プログラムをダウンロードしてＣＰＵ２２により実行するようにしても良い。第２〜第４の実施の形態についても同様である。
【０２６３】
さらに上述した第１の実施の形態においては、小売店舗の精算所において主にレジ係員に操作され、釣銭額ＣＨを釣銭表示欄ＣＣに表示しながら釣銭を出金するレジ釣銭機１に本発明を適用するようにした場合について述べた。
【０２６４】
しかしながら本発明はこれに限らず、例えば銀行等の金融機関に設置され顧客の操作により金銭に関する種々の取引処理を行う現金自動預払機（ＡＴＭ）や、飲料や切符等の各種商品・サービスの精算処理を行う自動販売機等、顧客との商取引において硬貨の出金処理を行う種々の装置に適用することができる。
【０２６５】
さらに上述した第１の実施の形態においては、表示部としての表示部６Ａと、枚数決定部としての枚数決定部４１と、桁選定部としての桁選定部４２と、出金指示部としての出金指示部４３と、出金部としての出金部１７と、表示制御部としての表示制御部４４とによって硬貨出金装置としての硬貨処理部３を構成する場合について述べた。
【０２６６】
しかしながら本発明はこれに限らず、その他種々の構成でなる表示部と、枚数決定部と、桁選定部と、出金指示部と、出金部と、表示制御部とによって硬貨出金装置を構成するようにしても良い。
【産業上の利用可能性】
【０２６７】
本発明は、出金額を表示しながら硬貨を出金する種々の装置でも利用できる。
【符号の説明】
【０２６８】
１……レジ釣銭機、３……釣銭処理部、５……統括制御部、６……表示操作部、６Ａ……表示部、１１……硬貨処理部、１３……操作部、１６……硬貨出金口、１６Ｓ……センサ、１７、１９……出金部、１８……紙幣入出金口、２１、１２１、２２１、３２１……釣銭制御部、２２……ＣＰＵ、２３……メモリ、４１……枚数決定部、４２、１４２、２４２、３４２……桁選定部、４３……出金指示部、４４、１４４、２４４、３４４……表示制御部、ＣＣ……釣銭表示欄、ＣＨ……釣銭額、ＤＧ……対象桁。
【図１】
2013250740.tif 000003
【図２】
2013250740.tif 000004
【図３】
2013250740.tif 000005
【図４】
2013250740.tif 000006
【図５】
2013250740.tif 000007
【図６】
2013250740.tif 000008
【図７】
2013250740.tif 000009
【図８】
2013250740.tif 000010
【図９】
2013250740.tif 000011
【図１０】
2013250740.tif 000012
【図１１】
2013250740.tif 000013
【図１２】
2013250740.tif 000014
【図１３】
2013250740.tif 000015
【図１４】
2013250740.tif 000016
【図１５】
2013250740.tif 000017
【図１６】
2013250740.tif 000018
【図１７】
2013250740.tif 000019
【図１８】
2013250740.tif 000020